(57)【要約】【課題】  装着部への電子機器の誤挿入を防止し、電気的な接続部の保護を図る。【解決手段】  本体部にディジタルスチルカメラの底面部が装着される装着部３２は、その底面部の長辺の一方の側が短辺を幅広とした幅広部３４とされ、長辺の他方の側が短辺を幅狭とした幅狭部３３とされる。幅狭部３３には、電気機器の前面部、一側面部及び背面部の底面部側を支持する背面側支持片３５、側面側支持片３６、前面側支持片３７、背面側支持片４１が設けられると共に、ディジタルスチルカメラと電気的接続を図るコネクタ４０が幅狭部３３の短辺と略平行に突出して設けられている。装着部３２は、幅狭部３３と幅広部３４とでなり左右非対称であるから、誤挿入を防止することができる。【選択図】  図４
2006174620.tif 000002
【特許請求の範囲】
【請求項１】
スタンド本体部に電子機器の底面部が装着される装着部を有し、
上記装着部は、その底面部の長辺の一方の側が短辺を幅広とした幅広部とされ、長辺の他方の側が短辺を幅狭とした幅狭部とされ、
上記幅狭部には、上記電気機器の前面部、一側面部及び背面部の底面部側を支持する支持片が設けられると共に、上記電子機器と電気的接続を図る接続部が上記幅狭部の短辺と略平行に突出して設けられたことを特徴とする電子機器用スタンド装置。
【請求項２】
上記幅広部には、上記電子機器を位置決めする位置決め突起が形成されていることを特徴とする請求項１記載の電子機器用スタンド装置。
【請求項３】
上記電子機器には、背面部に表示部が設けられており、
上記装着部には、上記電子機器の背面部を前面側にして装着され、
上記装着部の底面部は、背面側から前面側に向かって上側に傾斜する傾斜面で形成されていることを特徴とする請求項１記載の電子機器用スタンド装置。
【請求項４】
上記スタンド本体部の前面側には、操作部が設けられていることを特徴とする請求項３記載の電子機器用スタンド装置。
【請求項５】
上記幅広部には、上記電子機器に電力を供給する接続コードを外部に導出する凹部が形成されていることを特徴とする請求項１記載の電子機器用スタンド装置。
【請求項６】
機器本体と、
上記電子機器の底面部が装着される装着部を有するスタンド部とを備え、
上記スタンド部の装着部は、その底面部の長辺の一方の側が短辺を幅広とした幅広部とされ、長辺の他方の側が短辺を幅狭とした幅狭部とされ、
上記幅狭部には、上記機器本体の前面部、一側面部及び背面部の底面部側を支持する支持片が設けられると共に、上記機器本体と電気的接続を図る接続部が上記幅狭部の短辺と略平行に突出して設けられたことを特徴とする電子機器。
【請求項７】
上記幅広部には、上記機器本体を位置決めする位置決め突起が形成されていることを特徴とする請求項６記載の電子機器。
【請求項８】
上記機器本体には、背面部に表示部が設けられており、
上記装着部には、上記機器本体の背面部を前面側にして装着され、
上記装着部の底面部は、背面側から前面側に向かって上側に傾斜する傾斜面で形成されていることを特徴とする請求項６記載の電子機器。
【請求項９】
上記スタンド部の前面側には、操作部が設けられていることを特徴とする請求項８記載の電子機器。
【請求項１０】
上記幅広部には、上記機器本体に電力を供給する接続コードを外部に導出する凹部が形成されていることを特徴とする請求項６記載の電子機器。
【発明の詳細な説明】
【技術分野】
【０００１】
本発明は、誤装着を防止してコネクタの保護を図った電子機器用スタンド装置及び電子機器に関する。
【背景技術】
【０００２】
ディジタルスチルカメラ等の小型の電子機器は、非使用時等に、スタンド装置に装着されることがある。電子機器は、スタンド装置に装着されると、例えば電子機器に内蔵されたバッテリに充電することができる。また、ディジタルスチルカメラの場合には、スタンド装置に装着し、スタンド装置を介してモニタと接続し、内部メモリに格納されている画像データをモニタに表示されるようにする。
【０００３】
例えば、図９に示すように、従来から用いられているスタンド装置１００は、スタンド本体部１０１にディジタルスチルカメラ１０２が装着される装着部１０３が設けられている。この装着部１０３は、ディジタルスチルカメラ１０２の底面部と略同じ形状を有し、装着部１０３の底面部には、ディジタルスチルカメラ１０２と電気的接続を図るためのコネクタ１０４が突出して設けられていると共に、ディジタルスチルカメラ１０２の装着位置を位置決めするための位置決め突起１０５が設けられている。また、装着部１０３を構成する周壁には、ディジタルスチルカメラ１０２が突き当てられる突き当て部１０６が形成されている。
【０００４】
しかしながら、この装着部１０３は、図９に示すように、左右対称の形状に形成されていると、ディジタルスチルカメラ１０２が誤挿入されてしまうことがある。装着部１０３にディジタルスチルカメラ１０２が誤挿入されると、装着部１０３のコネクタ１０４にディジタルスチルカメラ１０２のジャック部が衝突してしまい、コネクタ１０４やジャック部が損傷してしまうことになる。
【０００５】
また、装着部１０３が左右対称に形成され、更に、コネクタ１０４のように装着部１０３の長辺に平行にコネクタ１０４が設けられているとていると、ディジタルスチルカメラ１０２の厚さ方向の外力、すなわち図９中矢印方向の外力によって、同方向にディジタルスチルカメラ１０２が容易に傾いてしまう。
【０００６】
【特許文献１】特開２００３−１５３４５５号公報
【発明の開示】
【発明が解決しようとする課題】
【０００７】
本発明は、以上のような問題点に鑑みてなされたものであり、その目的は、装着部への電子機器の誤挿入を防止し、電気的な接続部の保護を図ることができる電子機器用スタンド装置及び電子機器を提供することにある。
【課題を解決するための手段】
【０００８】
本発明に係る電子機器用スタンド装置は、スタンド本体部に電子機器の底面部が装着される装着部を有する。上記装着部は、その底面部の長辺の一方の側が短辺を幅広とした幅広部とされ、長辺の他方の側が短辺を幅狭とした幅狭部とされ、上記幅狭部には、上記電気機器の前面部、一側面部及び背面部の底面部側を支持する支持片が設けられると共に、上記電子機器と電気的接続を図る接続部が上記幅狭部の短辺と略平行に突出して設けられている。
【０００９】
また、本発明に係る電子機器は、機器本体と、上記電子機器の底面部が装着される装着部を有するスタンド部とを備える。上記スタンド部の装着部は、その底面部の長辺の一方の側が短辺を幅広とした幅広部とされ、長辺の他方の側が短辺を幅狭とした幅狭部とされ、上記幅狭部には、上記機器本体の前面部、一側面部及び背面部の底面部側を支持する支持片が設けられると共に、上記機器本体と電気的接続を図る接続部が上記幅狭部の短辺と略平行に突出して設けられている。
【発明の効果】
【００１０】
本発明によれば、装着部は、幅狭部と幅広部とでなり左右非対称であるから、誤挿入を防止することができる。また、装着部には、幅狭部側に、電気機器の前面部、一側面部及び背面部の底面部側を支持する支持片が設けられ、この支持片で、電子機器を確実に支持すると共に、この支持片で誤挿入されようとしたときの装着部への装着を阻止することができ、接続部の保護を図ることができる。
【発明を実施するための最良の形態】
【００１１】
以下、本発明を適用したディジタルスチルカメラ及びこのディジタルスチルカメラのスタンド装置について、図面を参照して説明する。
【００１２】
図１乃至図３に示すように、ディジタルスチルカメラ１０は、カメラ本体部１１を有する。このカメラ本体部１１には、前面部の一方の側に、レンズ鏡筒で構成されたレンズ部１２が設けられ、他方の側に膨出してユーザにより把持されるグリップ部１３が設けられている。また、カメラ本体部１１には、グリップ部１３側の上面部に、シャッタ釦１４が設けられている。
【００１３】
このグリップ部１３の内部は、リチウムイオン二次電池等の充電型バッテリが収納されるバッテリ収納部となっており、図３に示すように、グリップ部１３が設けられた側の底面部には、バッテリ収納部を開閉する電池蓋１５が設けられている。このバッテリ収納部には、充電型バッテリと選択的に交流電源を直流電源に変換しカメラ本体部１１の電源回路に供給するＤＣアダプタが装着される。したがって、このカメラ本体部１１には、直流電源が供給されるジャック部は設けられておらず、小型化が図られている。更に、カメラ本体部１１の底面部には、電池蓋１５に隣り合って三脚等が取り付けられる取付孔１６が設けられている。この取付孔１６は、三脚等のアクセサリが取り付けられると共に、スタンド装置３０に装着されたとき、スタンド装置３０の装着部に形成された位置決め突起が係合する孔となる。更に、カメラ本体部１１の底面部には、レンズ部１２が設けられた側に、スタンド装置３０と電気的接続をするためのジャック部１７が設けられている。このジャック部１７は、略矩形の挿入口１７ａを有し、長辺がカメラ本体部１１の底面部の短辺と略平行となるように配設されている。
【００１４】
すなわち、カメラ本体部１１の底面部は、図３に示すように、グリップ部１３が設けられた側が幅広に形成され、レンズ部１２が設けられた側が幅狭に形成されており、左右非対称となっている。
【００１５】
図１に示すように、カメラ本体部１１の背面部には、レンズ部１２の裏側となる領域に表示部１８が設けられている。この表示部１８は、例えば略矩形をなし、ＬＣＤ（Liquid Crystal Display）や有機ＥＬディスプレイ（Organic Electroluminescence Display）等の表示素子で形成されている。この表示部１８の上側には、ファインダ部１９が設けられている。また、この表示部１８に隣り合うようにして、カメラ本体部１１の背面部には、複数の操作釦でなる操作部２１が設けられている。この操作部２１は、例えば、内部メモリに保存格納されている画像データを表示部１８に表示させる操作を行うことができる。また、操作部２１では、ディジタルスチルカメラ１０２の詳細な設定、例えばフラッシュのオンオフ等を設定することができる。
【００１６】
以上のように構成されたディジタルスチルカメラ１０が装着されるスタンド装置３０は、図４及び図５に示すように、全体が略矩形をなすスタンド本体部３１を有する。このスタンド本体部３１は、その上面で背面側に偏った位置に、ディジタルスチルカメラ１０の底面部の外形形状に対応した装着部３２が形成されている。この装着部３２は、ディジタルスチルカメラ１０の底面部の形状に対応した凹部で構成されており、カメラ本体部１１のレンズ部１２が設けられた側が幅狭部３３となっており、グリップ部１３が設けられた側が幅広部３４となっている。
【００１７】
この装着部３２の底面部３８は、スタンド本体部３１の背面部から前面部に向かって上側に傾斜して形成されている。したがって、図１に示すように、ディジタルスチルカメラ１０は、スタンド装置３０の装着部３２に装着されたとき、カメラ本体部１１の背面部に設けられた表示部１８がスタンド装置３０の前面部を向くことになる。装着部３２幅狭部３３であって背面側には、スタンド本体部３１の背面側を向いたカメラ本体部１１のレンズ部１２を構成する鏡筒を支持する切欠部３９が形成されている。
【００１８】
幅狭部３３は、ディジタルスチルカメラ１０のレンズ部１２側の前面部を支持する背面側支持片３５と、レンズ部１２側の側面部を支持する側面側支持片３６と、レンズ部１２側の背面部を支持する前面側支持片３７が設けられている。
【００１９】
具体的に、背面側支持片３５は、カメラ本体部１１の前面部のレンズ部１２が設けられた側のコーナ部近傍の下側を支持する片となる。この背面側支持片３５には、高さ方向に突出してカメラ本体部１１の前面部が突き当てられる突き当て部３５ａが形成されている。側面側支持片３６は、カメラ本体部１１のレンズ部１２が設けられた側の側面部下側を支持する片となる。更に、前面側支持片３７は、カメラ本体部１１の背面部であって表示部１８の下側を支持する片となる。
【００２０】
装着部３２の幅狭部３３側の底面部３８には、側面側支持片３６と離間して平行に、カメラ本体部１１のジャック部１７と電気的に接続されるコネクタ４０が設けられている。このコネクタ４０は、略矩形の厚板状であり、長辺が側面側支持片３６と離間して平行に配設される。また、装着部３２の背面部側には、背面側支持片３５に切欠部３９を介して並んで、すなわち幅広部３４側に更なる背面側支持片４１が形成されている。この背面側支持片４１には、高さ方向に突出してカメラ本体部１１の前面部が突き当てられる突き当て部４１ａが形成されている。また、幅広部３４側の底面部３７には、カメラ本体部１１の底面部に形成された取付孔１６に係合する位置決め突起４２が形成されている。
【００２１】
スタンド本体部３１は、装着部３２の前面側が操作面とされ、この操作面には、複数の押し釦で構成された操作部４３と、動作状況を識別する識別部４４が設けられている。操作部４３は、ディジタルスチルカメラ１０が装着部３２に装着され電気的接続が図られたとき、操作部２１と略同様な操作を行うことができる。また、識別部４４は、複数の識別灯で構成されており、電源がオンのとき、充電中のとき等に点灯される。
【００２２】
また、スタンド本体部３１には、背面部に、ディスプレイ等と接続され画像データ等のＡＶデータを出力する接続コードが接続される第１のジャック部４５やパーソナルコンピュータ等の情報処理装置に接続され画像データ等のＡＶデータを出力する接続コードが接続される第２のジャック部４６や直流電源が入力される第３のジャック部４７が設けられている。更に、スタンド本体部３１には、幅広部３４側の側面に、装着部３２にディジタルスチルカメラ１０が装着され内部メモリに格納されている画像データを見るときに、画像データをディジタルスチルカメラ１０の表示部１８を用いてみるか、それともスタンド装置３０に接続されたディスプレイで見るかを切り換える切換操作部４８が設けられている。更に、装着部３２には、幅広部３４側の短辺に、ディジタルスチルカメラ１０のバッテリ収納部に収納されたＤＣアダプタのコードが導出される凹部４９が設けられている。
【００２３】
以上のようなスタンド装置３０の装着部３２には、ディジタルスチルカメラ１０の表示部１８が設けられた背面部を前面側にし、レンズ部１２を背面側にして、ディジタルスチルカメラ１０が装着されることになる。この装着部３２は、幅狭部３３側の３辺に設けられた背面側支持片３５、側面側支持片３６及び前面側支持片３７と幅広部３３側に設けられた背面側支持片４１によってディジタルスチルカメラ１０を支持する。この装着部３２は、スタンド装置３０の前面側に、ディジタルスチルカメラ１０を支持する支持片が設けられていない。したがって、ディジタルスチルカメラ１０の取り外しは、スタンド装置３０の前面側に傾倒させるようにして行われる。
【００２４】
図６は、以上のように構成されるスタンド装置３０の分解斜視図である。スタンド装置３０は、上ケース５１及び下ケース５２を突き合わせ結合することによってスタンド本体部３１の外筐を構成する。上下ケース５１，５２で構成されたスタンド本体部３１の内部には、メイン基板５３と、コネクタ４０が実装されたコネクタ基板５４とが内蔵されている。
【００２５】
スタンド本体部を構成する上ケース５１には、上述したディジタルスチルカメラ１０が装着される装着部３２が設けられる。具体的に、上ケース５１には、装着部３２を設けるための略矩形凹部の取付凹部５５が設けられており、この取付凹部５５には、装着部３２を構成するカメラ装着部材５６が取り付けられる。この取付凹部５５には、コネクタ基板５４に実装されたコネクタ４０を挿通させるための貫通孔５５ａが形成されている共に、カメラ本体部１１のレンズ部１２を構成する鏡筒を支持する切欠部３９の一部となる凹部が形成されている。
【００２６】
取付凹部５５に取り付けられるカメラ装着部材５６は、装着部３２を構成する部材であり、上述したディジタルスチルカメラ１０のレンズ部１２側の前面部を支持する背面側支持片３５と、レンズ部１２側の側面部を支持する側面側支持片３６と、レンズ部１２側の背面部を支持する前面側支持片３７と、背面側支持片３５に切欠部３９を介して並んで、すなわち幅広部３４側に更なる背面側支持片４１とが設けられている。また、カメラ装着部材５６の底面は、上述した装着部３２の底面部３８となり、スタンド本体部３１の背面部から前面部に向かって上側に傾斜して形成され、更にカメラ本体部１１の底面部に形成された取付孔１６に係合する位置決め突起４２が形成されている。また、コネクタ４０を挿通させるための挿通孔６０が取付凹部５５の貫通孔５５ａと位置を一致させるように形成されている。以上のようなカメラ装着部材５６は、周囲に形成された係合片５７を、上ケース５１の取付凹部５５の周囲に形成された係合孔５８に係合させることによって取り付けられる。
【００２７】
また、上ケース５１の取付凹部５５の前面側には、上述した操作部４３を構成する複数の孔部４３ａが形成され、この孔部４３ａに、メイン基板５３に実装されたスイッチ素子を押圧する押し釦部材４３ｂが内側から取り付けられる。また、上ケース５１の取付凹部５５の前面側には、上述した識別部４４を構成する複数の孔部４４ａが形成され、この孔部４３ａにメイン基板５３に実装されたＬＥＤ（Light Emitting Diode）等の発光素子で発光された光を導光する導光部材４４ｂが内側から取り付けられる。更に、また、上ケース５１の幅広部３４側側面部には、上述した切換操作部４８を構成する切欠部４８ａが形成され、この切欠部４８ａにメイン基板５３に実装されたスライドスイッチ素子に取り付けられるスライド操作部材４８ｂが取り付けられる。
【００２８】
上下ケース５１，５２によって構成されるスタンド本体部３１に組み込まれるメイン基板５３は、リジッドな基板であり、マイコン等の全体の動作を制御する制御回路、装着部３２に装着されたディジタルスチルカメラ１０に装着されている充電型バッテリを充電するための充電回路等の電気回路が組み込まれている他に、操作部４３を構成する押し釦部材により押圧される押圧スイッチ素子４３ｃ、識別部４４を構成する発光素子４４ｃ、切換操作部４８を構成するスライドスイッチ素子４８ｃ、第１乃至第３のジャック部４５〜４７、メイン基板５３とコネクタ基板５４とを接続する接続ケーブル６１のコネクタ５９等が実装される。このメイン基板５３は、略中央部に、位置決め孔５３ａが形成され、下ケース５２の形成された位置決め突部５３ｂによって位置決めされ、下ケース５２に取り付けられる。
【００２９】
コネクタ基板５４は、リジットなプリント配線基板であり、コネクタ４０が実装されると共に、メイン基板５３と電気的に接続するコネクタ５９に接続された接続ケーブル６１が接続されるコネクタ６２が実装されている。このコネクタ基板５４は、次に説明するように、上ケース５１に位置決めして取り付けられる。
【００３０】
ところで、上述したディジタルスチルカメラ１０とスタンド装置３０との電気的接続を図るコネクタ４０の取付機構７１は、図７及び図８に示すように構成されている。すなわち、上ケース５１の取付凹部５５には、上述のように、コネクタ４０挿通させるための略矩形で細長の貫通孔５５ａが形成され、取付凹部５５に取り付けられるカメラ装着部材５６には、貫通孔５５ａに対応させて挿通孔６０が形成されている。このカメラ装着部材５６の挿通孔６０は、取付凹部５５の貫通孔５５ａと幅を略同じくし、長手方向の寸法Ｌ３が貫通孔５５ａの寸法Ｌ２より短くなるように形成されている。したがって、上ケース５１を内面から見たとき、取付凹部５５の貫通孔５５ａの両端内側には、カメラ装着部材５６の挿通孔６０の両端部の外側の部分が外部に臨むことになり、支持部７２となる。両端部に支持部７２が設けられた取付凹部５５の貫通孔５５ａ内には、コネクタ基板５４の位置決めをする位置決め部材７３が配設され、この位置決め部材７３は、支持部７２によって支持されることになる。
【００３１】
この位置決め部材７３は、略矩形のフレーム部７３ａの両側に、位置決め部７３ｂ，７３ｃが形成されている。フレーム部７３ａは、貫通した開口部を構成しており、この開口部には、コネクタ基板５４に実装されたコネクタ４０が挿通されることになる。
【００３２】
フレーム部７３ａの両側に設けられた位置決め部７３ｂ，７３ｃには、コネクタ基板５４のコネクタ４０の長手方向両側に位置して形成された切り欠き凹部７４，７４が係合される。この位置決め部材７３のフレーム部７３ａ及び位置決め部７３ｂ，７３ｃを含む長手方向の寸法Ｌ１は、取付凹部５５の貫通孔５５ａの長手方向の寸法Ｌ２よりやや短くなるように形成されている。すなわち、この位置決め部材７３は、取付凹部５５の貫通孔５５ａ内に配設されたとき、長手方向にある程度がたつきを有するように配設される。
【００３３】
取付凹部５５の貫通孔５５ａの一方の端部には、貫通孔５５ａの一方の端部を被覆するように覆い片７５が形成されている。覆い片７５は、位置決め部材７３の一方の位置決め部７３ｂが挿入し得るように貫通孔５５ａ側が開口されている。覆い片７５の天板７５ａと覆い片７５内に挿入される位置決め部材７３の一方の位置決め部７３ｂとの間には、弾性体７６が配設される。具体的に、この弾性体７６は、コイルバネであり、収縮した状態で、一端が位置決め部７３ｂの表面に形成された突起７６ａに係止され、他端が覆い片７５の天板７５ａに形成された突起７６ｂに係止されて配設される。
【００３４】
また、取付凹部５５の貫通孔５５ａの他方の端部には、貫通孔５５ａの他方の端部を被覆するように覆い部材７７が取り付けられる。この覆い部材７７は、貫通孔５５ａの他方の端部を被覆する覆い部７７ａと、上ケース５１に取り付けるための取付部７７ｂとから構成されている。また、覆い部７７ａは、位置決め部材７３の他方の位置決め部７３ｃが挿入し得るように貫通孔５５ａ側が開口されている。また、覆い部７７ａの両側には、突片７７ｃが両側に形成されており、各突片７７ｃには、位置決め孔７７ｄが形成されている。この位置決め孔７７ｄには、上ケース５１に形成された位置決めピン７７ｅが係合される。更に、取付部７７ｂには、位置決め部材７７を上ケース５１に固定するための取付孔７７ｆが形成されている。覆い部材７７の天板７７ｇと覆い部７７ａ内に挿入される位置決め部材７３の他方の位置決め部７３ｃとの間には、弾性体７８が配設される。具体的に、この弾性体７６は、コイルバネであり、収縮した状態で、一端が位置決め部７３ｃの表面に形成された突起７８ａに係止され、他端が天板７７ｇに形成された突起７８ｂに係止されて配設される。そして、この覆い部材７７は、止めねじ７９を、取付部７７ｂの取付孔７７ｆに挿通し、上ケース５１のボス７９ａにねじ止めすることによって固定される。
【００３５】
したがって、位置決め部材７３は、フレーム部７３ａ内にコネクタ基板５４のコネクタ４０を挿通し、位置決め部７３ｂ、７３ｃが支持部７２，７２に支持されると共にコネクタ基板５４の切り欠き凹部７４，７４に係合しコネクタ基板５４を位置決めした状態で、取付凹部５５の貫通子５５ａ内に配設されることになる。そして、寸法Ｌ１の位置決め部材７３は、寸法Ｌ１より長い寸法Ｌ２を有する取付凹部５５の貫通孔５５ａにがたつきを有するように取り付けられることになる。
【００３６】
以上のような取付機構７１では、図８に示すように、位置決め部材７３の一方の位置決め部７３ｂと覆い片７５の天板７５ａとの間に配設された弾性体７６及び位置決め部材７３の他方の位置決め部７３ｃと覆い部材７７の天板７７ｇとの間に配設された弾性体７８が直立している状態を基本姿勢としている。
【００３７】
上述したように、ディジタルスチルカメラ１０が装着される装着部３２は、幅狭部３３側の３辺に設けられた背面側支持片３５、側面側支持片３６及び前面側支持片３７と幅広部３３側に設けられた背面側支持片４１によってディジタルスチルカメラ１０を支持するようにし、スタンド装置３０の前面側に、ディジタルスチルカメラ１０を支持する支持片を設けていない。したがって、ディジタルスチルカメラ１０の取り外しは、スタンド装置３０の前面側に傾倒させるようにして行われる。したがって、ディジタルスチルカメラ１０と電気的接続を行うコネクタ４０は、ディジタルスチルカメラ１０のジャック部１７から外れるとき、図１及び図８中矢印Ａ方向に外力が加わることになる。ここで、コネクタ４０は、コネクタ基板５４の切り欠き凹部７４，７４に位置決め部材７３の位置決め部７３ｂ，７３ｃが係合しており、更に、位置決め部材７７が取付凹部５５の貫通孔５５ａ内に長手方向にがたつきを有するように配設されている。したがって、コネクタ４０が実装されたコネクタ基板５４は、弾性体７６，７８が外力の方向に撓み変形することによって移動し、これにより、取付機構７１は、コネクタ４０に加わる挿抜方向とは異なる方向の力を軽減することができ、コネクタ４０やジャック部１８の保護を図ることができる。なお、ディジタルスチルカメラ１０が完全に装着部３２から取り外された後は、弾性体７６，７８の復帰力により基本姿勢に戻ることになる。
【００３８】
以上のようなスタンド装置３０では、装着部３２の一方の側が幅狭部３３とされ、他方の側が幅広部３４とされ、左右非対称形状となっていることから、カメラ本体部１１の背面部を前面側にし、ディジタルスチルカメラ１０のカメラ本体部１１の幅広のグリップ部１２側を装着部３２の幅広部３４側にし、幅狭のレンズ部１２側を装着部３２の幅狭部３３側にし、取付孔１６に位置決め突起４２を係合させるようにして、ディジタルスチルカメラ１０が装着部３２に装着されることになる。
【００３９】
そして、装着部３２へディジタルスチルカメラ１０を誤装着しようとした場合には、ディジタルスチルカメラ１０のグリップ部１３側が装着部３２の幅狭部３３に位置し、背面側支持片３５、側面側支持片３６、前面側支持片３７、背面側支持片４１等にディジタルスチルカメラ１０の底面部が突き当たることになり、これにより、ディジタルスチルカメラ１０の装着部３２への誤装着を防止することができる。
【００４０】
スタンド装置３０に装着して使用するときの一つの用途は、ディジタルスチルカメラ１０の内部メモリに格納された画像データを見るときである。そして、ディジタルスチルカメラ１０の表示部１７を用いて画像データを見るとき、ディジタルスチルカメラ１０は装着部３２によって表示部１８側が上を向くように装着されていることから、ユーザが表示ｓ部１８に表示された画像を容易に見ることができる。また、画像選択等の操作は、スタンド本体部３１の前面側に操作部４３が設けられていることから、容易に行うことができる。
【００４１】
また、このスタンド装置３０では、第１のジャック部４５によって大型のディスプレイに接続することができる。この場合、スタンド装置３０の側面部に設けられた切換操作部４８によって画像データの出力先を、ディジタルスチルカメラ１０の表示部１８にするか第１のジャック部４８を介して接続されたディスプレイにするかを切り換えることができる。この切り換えによって、第１のジャック部４８を介して接続されたディスプレイに画像データを表示しているときには、ディジタルスチルカメラ１０の表示部１８はオフにしておくことができ、これにより省電力化を図ることができる。
【００４２】
また、装着部３２に設けられたコネクタ４０は、略厚板状であり、その長辺が幅狭部３３側の短辺と略平行となるように設けられている。したがって、このコネクタ４０は、長辺と直交する横方向の外力に対して機械的に弱い。これに対して、装着部３２は、幅狭部３３側を、背面側支持片３５、側面側支持片３６、前面側支持片３７によって３方向から囲むようにディジタルスチルカメラ１０を支持し、装着部３２の長手方向にはがたつきにくくしている。したがって、例えば、装着部３２のコネクタ４０とディジタルスチルカメラ１０のジャック部１７が結合した状態においても、ジャック部１７とコネクタ４０の結合部分に、機械的にコネクタ４０が弱い装着部３２の長手方向からの外力が加わることを防止することができ、コネクタ４０やジャック部１７の保護を図ることができる。
【００４３】
この装着部３２からディジタルスチルカメラ１０を取り外すときには、ディジタルスチルカメラ１０をスタンド本体部３１の前面側に傾倒するようにして取り外されることが多くなる。装着部３２には、スタンド本体部３１の前面側の大部分に、ディジタルスチルカメラ１０を支持する支持片が設けられておらず開放されているからである。
【００４４】
したがって、このコネクタ４０には、ディジタルスチルカメラ１０のジャック部１７から外れるとき、図１及び図８中矢印Ａ方向に外力が加わることになる。ここで、コネクタ４０は、コネクタ基板５４の切り欠き凹部７４，７４に位置決め部材７３の位置決め部７３ｂ，７３ｃが係合しており、更に、位置決め部材７７が取付凹部５５の貫通孔５５ａ内に長手方向にがたつきを有するように配設されている。したがって、コネクタ４０が実装されたコネクタ基板５４は、弾性体７６，７８が外力の方向に撓み変形することによって移動し、これにより、取付機構７１は、コネクタ４０に加わる挿抜方向とは異なる方向の力を軽減することができ、コネクタ４０やジャック部１８の保護を図ることができる。
【００４５】
更に、このスタンド装置３０の装着部３２は、幅狭部３３側にコネクタ４０が設けられ、幅広部３４側に位置決め突起４２が設けられているのみであるから、中央部に何も設けられていない領域を広く確保することができ、デザイン設計の自由度を上げることができる。
【００４６】
以上、本発明を適用したディジタルスチルカメラ１０のスタンド装置３０を例に取りに説明したが、本発明は、携帯型のディスク記録再生装置、ＰＤＡ（Personal Digital(Data) Assistants）等の情報処理装置等様々な電子機器のスタンド装置に適用することができる。
【図面の簡単な説明】
【００４７】
【図１】ディジタルスチルカメラがスタンド装置に装着された状態を示す斜視図である。
【図２】ディジタルスチルカメラを前面側から見た斜視図である。
【図３】ディジタルスチルカメラの底面図である。
【図４】スタンド装置を前面側見た斜視図である。
【図５】スタンド装置の平面図である。
【図６】スタンド装置の分解斜視図である。
【図７】コネクタの取付機構の分解斜視図であり、上ケースの内面側から見た図である。
【図８】コネクタの取付機構の断面図である。
【図９】従来のスタンド装置の平面図である。
【符号の説明】
【００４８】
１  ディジタルスチルカメラ、１１  カメラ本体部、１２  レンズ部、１３  グリップ部、１７  ジャック部、１８  表示部、３０  スタンド装置、３１  スタンド本体部、３２  装着部、３３  幅狭部、３４  幅広部、３５  背面側支持片、３６  側面側支持片、３７  前面側支持片、３８  底面部、３９  切欠部、４０  コネクタ、４１  背面側支持片
【図１】
2006174620.tif 000003
【図２】
2006174620.tif 000004
【図３】
2006174620.tif 000005
【図４】
2006174620.tif 000006
【図５】
2006174620.tif 000007
【図６】
2006174620.tif 000008
【図７】
2006174620.tif 000009
【図８】
2006174620.tif 000010
【図９】
2006174620.tif 000011